(57)【要約】      （修正有）【課題】美容室等で髪質や頭皮に関する処方箋や髪質等の薬剤を挿入した処方袋を顧客に提供することにより、顧客と美容室側の交信を明確化すると共に、顧客側の便利に資する美容室用処方袋を提供する。【解決手段】美容室用処方袋１２の表面には次の記載欄を備えている。すなわち、美容等太文字形態でなる処方名標記欄１３及び顧客名欄１４を備え、次で、髪質用洗剤名又は頭皮用薬剤名指定欄１７と、該洗剤髪質用名又は頭皮用薬剤用法指定欄１８と、髪質・頭皮種類指定欄１９と、前記髪質用洗剤名又は頭皮用薬剤使用箇所指定欄２０と、顧客の来店指定日欄２１と、提供店記載欄２２と、適用日・適用回数指定欄１６とを上から下に順次記載された用法を処方袋の表面に明記した美容室用処方袋１２である。【選択図】図１
0003220864.tif 000002
【実用新案登録請求の範囲】
【請求項１】
処方袋の表面に印刷又は明記するものであって、美容等太文字形態でなる処方名標記欄及び顧客名欄を備え、次で、髪質用洗剤名又は頭皮用薬剤名指定欄と、該洗剤髪質用名又は頭皮用薬剤用法指定欄と、髪質・頭皮種類指定欄と、前記髪質用洗剤名又は頭皮用薬剤使用箇所指定欄と、顧客の来店指定日欄と、提供店記載欄と、適用日・適用回数指定欄とで構成される用法を明記したことを特徴とする美容室用処方袋。
【考案の詳細な説明】
【技術分野】
【０００１】
本考案は、美容室等で使用するものであって、美容室等を訪れる顧客の髪質や頭皮を改善するために顧客に提供する美容室用処方袋に関する。
【背景技術】
【０００２】
この種、従来の技術に於ける技術としては登録実用新案第３１６２０９８号公報に開示した技術がある。これについて説明すれば図３、図４に示すように、整髪器具１は、枢接座２と、第１の挟み体３と、第２の挟み体４とを含む。枢接座２は、上座体５と下座体６とを含み、下座体６が中間及び頂部に位置する突リブ７と、突リブ７の両側にある第１及び第２の収容空間８、９とを有し、上座体５には間隔をおいた枢接柱１０、１１が２つ設けられ、下座体６の第１及び第２の収容空間８、９の上には上座体５の枢接柱１０、１１と互いに係合するための枢接孔８、９（第１第２の収容空間）がそれぞれ設けられ、前記枢接柱１０、１１と前記枢接孔８、９を嵌着する。使用者がヘアバンドを頭上に装着させた場合には、図４に示すように第１及び第２の挟み体３、４が閉状態である場合、整髪器具１はヘアー（Ｆ）のクリップとして形成される。
【先行技術文献】
【特許文献】
【０００３】
【特許文献１】登録実用新案第３１６２０９８号公報
【考案の開示】
【考案が解決しようとする課題】
【０００４】
従来の技術は叙上した構成、作用であるので次の課題が存在した。
すなわち、従来の技術では、顧客が来店した際、その都度顧客の髪型や髪質に応じて整髪するので美容室以外では顧客自身が整髪することはできなかった。これは美容室側が処方袋を提供していないので顧客にとって不便であった。髪質や頭皮は顧客によっては種々に特有な質・形態を個性として備えているにも拘らず処方箋等がないので美容室以外、例えば自宅等で処方することができないという問題点があった。
【課題を解決するための手段】
【０００５】
本考案はかかる問題点を解決するために考案したものである。すなわち、美容室等で髪質や頭皮に関する処方箋や髪質等の薬剤を挿入した処方袋を顧客に提供することにより、顧客と美容室側の交信を明確化すると共に、顧客側の便利に資する美容室処方袋を提供することを目的としたものであって、次の構成・手段から成立する。
すなわち請求項１記載の考案によれば、処方袋の表面に印刷又は明記するものであって、美容等太文字形態でなる処方名標記欄及び顧客名欄を備え、次で、髪質用洗剤名又は頭皮用薬剤名指定欄と、該洗剤髪質用名又は頭皮用薬剤用法指定欄と、髪質・頭皮種類指定欄と、前記髪質用洗剤名又は頭皮用薬剤使用箇所指定欄と、顧客の来店指定日欄と、提供店記載欄と、適用日・適用回数指定欄とで構成される用法を明記したことを特徴とする美容室用処方袋である。
【考案の効果】
【０００６】
本考案に係る美容室用処方袋は叙上の構成を有するので、次の効果がある。
すなわち、請求項１に記載の考案によれば、処方袋の表面に印刷又は明記するものであって、美容等太文字形態でなる処方名標記欄及び顧客名欄を備え、次で、髪質用洗剤名又は頭皮用薬剤名指定欄と、該洗剤髪質用名又は頭皮用薬剤用法指定欄と、髪質・頭皮種類指定欄と、前記髪質用洗剤名又は頭皮用薬剤使用箇所指定欄と、顧客の来店指定日欄と、提供店記載欄と、適用日・適用回数指定欄とで構成される用法を明記したことを特徴とする美容室用処方袋を提供する。
このような構成としたので、顧客が来店した際、その都度顧客の髪質や頭皮に応じてカウンセリングを得た後に処方するので、顧客の好みに応じて髪質等改善すると共に顧客自身が処方袋の表示内容に基づき自宅等で整髪や髪質改善及び頭皮改善等ができるという効果がある。
【図面の簡単な説明】
【０００７】
【図１】本考案に係る美容室用処方袋の一例を示す正面図である。
【図２】図１に示す美容室用処方袋の斜視図である。
【図３】従来の技術に於ける整髪器具の一例を示す斜視図である。
【図４】従来の技術に於ける整髪器具の取付状態を示す正面図である。
【考案を実施するための形態】
【０００８】
以下、本考案の実施の形態について図面を参照しつつ説明する。
図１、図２は本考案の実施の形態にかかる図面であって、これについて説明し本考案を明らかにする。
図１は本考案に係る美容室用処方袋１２の一例を示す正面図であって、その表面には次の記載欄を備えている。すなわち、美容等太文字形態でなる処方名標記欄１３及び顧客名欄１４を備え、次で、髪質用洗剤名又は頭皮用薬剤名指定欄１７と、該洗剤髪質用名又は頭皮用薬剤用法指定欄１８と、髪質・頭皮種類指定欄１９と、前記髪質用洗剤名又は頭皮用薬剤使用箇所指定欄２０と、顧客の来店指定日欄２１と、提供店記載欄２２と、適用日・適用回数指定欄１６とで構成される用法を明記した美容室用処方袋１２である。
【０００９】
ここで、上記処方名標記欄１３は例えば日本語でなる単に「美容用」で構成する。ほかの文字形態としては「美容室用」、「髪質改善用」、「頭皮改善用」等種々考えられこれを適用する。その下段には顧客名欄１４を設ける。例えば「鈴木よし子様」等であり、文字「様」のみを予め印刷してあって、前方空間を空白にし、この空白部分に顧客名を手書きしてもよい。１５は用法の内容を示す枠であって、この内部に次の記載欄を備える。
【００１０】
当該美容室用処方袋１２を顧客が持ち帰った際、処方内容が分かるように次の記載欄を設ける。美容師が示す処方通りに顧客が備忘録の機能として必要な適用日・適用日数指定欄１６を設定する。該適用日・適用日数指定欄１６は例えば３日、３回処方する等文字が記載されている。次に髪質用洗剤名又は頭皮用薬剤名指定欄１７を備える。例えばシャンプー（黒）、トリートメント（白）、流さないトリートメントの印字又は記載された文字を美容師は○印を付して指定する。上記シャンプーの例としては、主成分として水、スルホコハク酸（Ｃ１２−１４）やココイルグルタミン酸ＴＥＡ等で配合された構成物の製品を適用する。上記トリートメントの例としては主成分として、水、セテアリルアルコール、ベヘントリモニウムクロリド、ザンカ油等で配合された構成物の製品を適用する。具体的には美容師は上記したシャンプー（黒）や、トリートメント（白）、を例えば容量が９０ｍｌのものを小瓶や小容器に封入し図２の矢印Ｐに示すように前記本考案に係る美容室用処方袋１２の開口１２Ａから挿入する。
【００１１】
そして、美容師は上述した髪質用洗剤や頭皮用薬剤すなわち、シャンプー等を区分け指定する。髪質用か頭皮用が決定し、または両方を指定する場合もある。そして前述した髪質用洗剤名又は頭皮用薬剤使用箇所指定欄２０で髪か頭皮かを区分けしその指示をする。また次回顧客が来店する日を決定し、顧客の来店指定日欄２１に記入する。ところで提供店記載欄２２は予め印刷等してあり、「○○美容室」でなる。
【００１２】
上述した美容室用処方袋１２は図２に示すように正面から見て四角形状の封筒等で構成され例えば幅長（横長）Ｌ１＝１８ｃｍ、高さ（縦長）Ｌ２＝２４ｃｍ、で設定される。尚Ｌ１、Ｌ２の長さは美容室側の好みに応じて適宜に設定する。そして美容室用処方袋１２の材料は汎用の紙、薄板状の板材、樹脂や布材、ビニール等で構成する。美容室用処方袋１２は開口１２Ａを形成しているが、閉口式にしてもよい。
【００１３】
本考案に係る美容室用処方袋１２の使用方法について説明する。
新規の顧客が美容室に来店した際、担当美容師は該顧客とカウンセリングを行い、該顧客の髪質や頭皮等を説明を受けると共に顧客の要望も聞き入れる。そして、顧客に応じた上述した洗剤（シャンプー）やトリートメント等を選定し処方箋を作成する。上記美容室用処方袋１２の中にかかる処方箋、シャンプーやトリートメントを封入した小容器、小瓶を挿入する。そして、一連の髪の美容処理が完了した後に該美容室用処方袋１２を手渡しする。さらに該美容室用処方袋１２の表面に設けた各欄の記述を行う。その後、顧客は美容室を出た後自宅等で処方の内容に基づき髪質改善や頭皮改善等の美容処理を行うことができる。
尚、美容師は該美容室用処方箋１２内に美容に関係する各種サービス品としての美容品等やプレゼント品を挿入し美容室の知名度を上げることができる。
【実施例】
【００１４】
次に本考案に係る美容室用処方袋１２の実施例について説明する。
図１、図２に示す美容室用処方袋１２の表面に於ける記載欄は日本語で構成したが、英語文字、韓国語文字、中国語文字、その他他言語で構成することもできる。
【産業上の利用可能性】
【００１５】
本考案は美容室用のみならず、理容室用にも適用できその利用範囲は広いものである。
【符号の説明】
【００１６】
１２        美容室用処方袋
１２Ａ      開口
１３        処方名標記欄
１４        顧客名欄
１５        用法の内容を示す枠
１６        適用日・適用日数指定欄
１７        髪質用洗剤名又は頭皮用薬剤名指定欄
１８        洗剤髪質用名又は頭皮用薬剤用法指定欄
１９        髪質・頭皮種類指定欄
２０        髪質用洗剤名又は頭皮用薬剤使用箇所指定欄
２１        顧客の来店指定日欄
２２        提供店記載欄
【図１】
0003220864.tif 000003
【図２】
0003220864.tif 000004
【図３】
0003220864.tif 000005
【図４】
0003220864.tif 000006
【手続補正書】
【提出日】平成31年2月6日(2019.2.6)
【手続補正１】
【補正対象書類名】実用新案登録請求の範囲
【補正対象項目名】全文
【補正方法】変更
【補正の内容】
【実用新案登録請求の範囲】
【請求項１】
処方袋の表面に印刷又は明記するものであって、美容等太文字形態でなる処方名標記欄及び顧客名欄を備え、次で、髪質用洗剤名又は頭皮用薬剤名指定欄と、該洗剤髪質用名又は頭皮用薬剤用法指定欄と、髪質・頭皮種類指定欄と、前記髪質用洗剤名又は頭皮用薬剤使用箇所指定欄と、顧客の来店指定日欄と、提供店記載欄と、適用日・適用回数指定欄とを上から下に順次記載された用法を処方袋の表面に明記したことを特徴とする美容室用処方袋。
【手続補正２】
【補正対象書類名】明細書
【補正対象項目名】全文
【補正方法】変更
【補正の内容】
【考案の詳細な説明】
【技術分野】
【０００１】
本考案は、美容室等で使用するものであって、美容室等を訪れる顧客の髪質や頭皮を改善するために顧客に提供する美容室用処方袋に関する。
【背景技術】
【０００２】
この種、従来の技術に於ける技術としては登録実用新案第３１６２０９８号公報に開示した技術がある。これについて説明すれば図３、図４に示すように、整髪器具１は、枢接座２と、第１の挟み体３と、第２の挟み体４とを含む。枢接座２は、上座体５と下座体６とを含み、下座体６が中間及び頂部に位置する突リブ７と、突リブ７の両側にある第１及び第２の収容空間８、９とを有し、上座体５には間隔をおいた枢接柱１０、１１が２つ設けられ、下座体６の第１及び第２の収容空間８、９の上には上座体５の枢接柱１０、１１と互いに係合するための枢接孔８、９（第１第２の収容空間）がそれぞれ設けられ、前記枢接柱１０、１１と前記枢接孔８、９を嵌着する。使用者がヘアバンドを頭上に装着させた場合には、図４に示すように第１及び第２の挟み体３、４が閉状態である場合、整髪器具１はヘアー（Ｆ）のクリップとして形成される。
【先行技術文献】
【特許文献】
【０００３】
【特許文献１】登録実用新案第３１６２０９８号公報
【考案の開示】
【考案が解決しようとする課題】
【０００４】
従来の技術は叙上した構成、作用であるので次の課題が存在した。
すなわち、従来の技術では、顧客が来店した際、その都度顧客の髪型や髪質に応じて整髪するので美容室以外では顧客自身が整髪することはできなかった。これは美容室側が処方袋を提供していないので顧客にとって不便であった。髪質や頭皮は顧客によっては種々に特有な質・形態を個性として備えているにも拘らず処方箋等がないので美容室以外、例えば自宅等で処方することができないという問題点があった。
【課題を解決するための手段】
【０００５】
本考案はかかる問題点を解決するために考案したものである。すなわち、美容室等で髪質や頭皮に関する処方箋や髪質等の薬剤を挿入した処方袋を顧客に提供することにより、顧客と美容室側の交信を明確化すると共に、顧客側の便利に資する美容室処方袋を提供することを目的としたものであって、次の構成・手段から成立する。
すなわち請求項１記載の考案によれば、処方袋の表面に印刷又は明記するものであって、美容等太文字形態でなる処方名標記欄及び顧客名欄を備え、次で、髪質用洗剤名又は頭皮用薬剤名指定欄と、該洗剤髪質用名又は頭皮用薬剤用法指定欄と、髪質・頭皮種類指定欄と、前記髪質用洗剤名又は頭皮用薬剤使用箇所指定欄と、顧客の来店指定日欄と、提供店記載欄と、適用日・適用回数指定欄とを上から下に順次記載された用法を処方袋の表面に明記したことを特徴とする美容室用処方袋である。
【考案の効果】
【０００６】
本考案に係る美容室用処方袋は叙上の構成を有するので、次の効果がある。
すなわち、請求項１に記載の考案によれば、処方袋の表面に印刷又は明記するものであって、美容等太文字形態でなる処方名標記欄及び顧客名欄を備え、次で、髪質用洗剤名又は頭皮用薬剤名指定欄と、該洗剤髪質用名又は頭皮用薬剤用法指定欄と、髪質・頭皮種類指定欄と、前記髪質用洗剤名又は頭皮用薬剤使用箇所指定欄と、顧客の来店指定日欄と、提供店記載欄と、適用日・適用回数指定欄とを上から下に順次記載された用法を処方袋の表面に明記したことを特徴とする美容室用処方袋を提供する。
このような構成としたので、顧客が来店した際、その都度顧客の髪質や頭皮に応じてカウンセリングを得た後に処方するので、顧客の好みに応じて髪質等改善すると共に顧客自身が処方袋の表示内容に基づき自宅等で整髪や髪質改善及び頭皮改善等ができるという効果がある。
【図面の簡単な説明】
【０００７】
【図１】本考案に係る美容室用処方袋の一例を示す正面図である。
【図２】図１に示す美容室用処方袋の斜視図である。
【図３】従来の技術に於ける整髪器具の一例を示す斜視図である。
【図４】従来の技術に於ける整髪器具の取付状態を示す正面図である。
【考案を実施するための形態】
【０００８】
以下、本考案の実施の形態について図面を参照しつつ説明する。
図１、図２は本考案の実施の形態にかかる図面であって、これについて説明し本考案を明らかにする。
図１は本考案に係る美容室用処方袋１２の一例を示す正面図であって、その表面には次の記載欄を備えている。すなわち、美容等太文字形態でなる処方名標記欄１３及び顧客名欄１４を備え、次で、髪質用洗剤名又は頭皮用薬剤名指定欄１７と、該洗剤髪質用名又は頭皮用薬剤用法指定欄１８と、髪質・頭皮種類指定欄１９と、前記髪質用洗剤名又は頭皮用薬剤使用箇所指定欄２０と、顧客の来店指定日欄２１と、提供店記載欄２２と、適用日・適用回数指定欄１６とを上から下に順次記載された用法を処方袋の表面に明記した美容室用処方袋１２である。
【０００９】
ここで、上記処方名標記欄１３は例えば日本語でなる単に「美容用」で構成する。ほかの文字形態としては「美容室用」、「髪質改善用」、「頭皮改善用」等種々考えられこれを適用する。その下段には顧客名欄１４を設ける。例えば「鈴木よし子様」等であり、文字「様」のみを予め印刷してあって、前方空間を空白にし、この空白部分に顧客名を手書きしてもよい。１５は用法の内容を示す枠であって、この内部に次の記載欄を備える。
【００１０】
当該美容室用処方袋１２を顧客が持ち帰った際、処方内容が分かるように次の記載欄を設ける。美容師が示す処方通りに顧客が備忘録の機能として必要な適用日・適用日数指定欄１６を設定する。該適用日・適用日数指定欄１６は例えば３日、３回処方する等文字が記載されている。次に髪質用洗剤名又は頭皮用薬剤名指定欄１７を備える。例えばシャンプー（黒）、トリートメント（白）、流さないトリートメントの印字又は記載された文字を美容師は○印を付して指定する。上記シャンプーの例としては、主成分として水、スルホコハク酸（Ｃ１２−１４）やココイルグルタミン酸ＴＥＡ等で配合された構成物の製品を適用する。上記トリートメントの例としては主成分として、水、セテアリルアルコール、ベヘントリモニウムクロリド、ザンカ油等で配合された構成物の製品を適用する。具体的には美容師は上記したシャンプー（黒）や、トリートメント（白）、を例えば容量が９０ｍｌのものを小瓶や小容器に封入し図２の矢印Ｐに示すように前記本考案に係る美容室用処方袋１２の開口１２Ａから挿入する。
【００１１】
そして、美容師は上述した髪質用洗剤や頭皮用薬剤すなわち、シャンプー等を区分け指定する。髪質用か頭皮用が決定し、または両方を指定する場合もある。そして前述した髪質用洗剤名又は頭皮用薬剤使用箇所指定欄２０で髪か頭皮かを区分けしその指示をする。また次回顧客が来店する日を決定し、顧客の来店指定日欄２１に記入する。ところで提供店記載欄２２は予め印刷等してあり、「○○美容室」でなる。
【００１２】
上述した美容室用処方袋１２は図２に示すように正面から見て四角形状の封筒等で構成され例えば幅長（横長）Ｌ１＝１８ｃｍ、高さ（縦長）Ｌ２＝２４ｃｍ、で設定される。尚Ｌ１、Ｌ２の長さは美容室側の好みに応じて適宜に設定する。そして美容室用処方袋１２の材料は汎用の紙、薄板状の板材、樹脂や布材、ビニール等で構成する。美容室用処方袋１２は開口１２Ａを形成しているが、閉口式にしてもよい。
【００１３】
本考案に係る美容室用処方袋１２の使用方法について説明する。
新規の顧客が美容室に来店した際、担当美容師は該顧客とカウンセリングを行い、該顧客の髪質や頭皮等を説明を受けると共に顧客の要望も聞き入れる。そして、顧客に応じた上述した洗剤（シャンプー）やトリートメント等を選定し処方箋を作成する。上記美容室用処方袋１２の中にかかる処方箋、シャンプーやトリートメントを封入した小容器、小瓶を挿入する。そして、一連の髪の美容処理が完了した後に該美容室用処方袋１２を手渡しする。さらに該美容室用処方袋１２の表面に設けた各欄の記述を行う。その後、顧客は美容室を出た後自宅等で処方の内容に基づき髪質改善や頭皮改善等の美容処理を行うことができる。
尚、美容師は該美容室用処方箋１２内に美容に関係する各種サービス品としての美容品等やプレゼント品を挿入し美容室の知名度を上げることができる。
【実施例】
【００１４】
次に本考案に係る美容室用処方袋１２の実施例について説明する。
図１、図２に示す美容室用処方袋１２の表面に於ける記載欄は日本語で構成したが、英語文字、韓国語文字、中国語文字、その他他言語で構成することもできる。
【産業上の利用可能性】
【００１５】
本考案は美容室用のみならず、理容室用にも適用できその利用範囲は広いものである。
【符号の説明】
【００１６】
１２        美容室用処方袋
１２Ａ      開口
１３        処方名標記欄
１４        顧客名欄
１５        用法の内容を示す枠
１６        適用日・適用日数指定欄
１７        髪質用洗剤名又は頭皮用薬剤名指定欄
１８        洗剤髪質用名又は頭皮用薬剤用法指定欄
１９        髪質・頭皮種類指定欄
２０        髪質用洗剤名又は頭皮用薬剤使用箇所指定欄
２１        顧客の来店指定日欄
２２        提供店記載欄